(57)【要約】【課題】軽量小型で緊急避難袋の中に入れて保管しておくことができ、製造コストの低廉な簡易浄水用器具を提供する。【解決手段】水道管１に水栓２が設けられており、水道管１の一端側にはペットボトルの雄ネジと整合する雌ネジ３が形成されている。雌ネジ３と水栓２の間には、自転車用の空気弁４が径外方向に突出して取付けられている。水道管１の他端側には蛇口５が連結ナット６によって接続されている。【選択図】図２
2008012457.tif 000002
【特許請求の範囲】
【請求項１】
水栓が設けられた管を備え、該水栓を挟んで該管の一端側には飲料水用容器を取付可能とする容器取付部と手動ポンプ用の空気弁とが設けられており、該水栓を挟んで該管の他端側には水道用の浄水器を取付可能とする浄水器取付部が設けられていることを特徴とする簡易浄水用器具。
【請求項２】
空気弁は自転車用空気入れによって空気を入れることができることを特徴とする請求項１記載の簡易浄水用器具。
【請求項３】
容器取付部は飲料容器の雄ネジに螺合する雌ネジが設けられていることを特徴とする請求項１又は２記載の簡易浄水用器具。
【請求項４】
水道用の浄水器はろ過材として少なくとも活性炭と多孔体中空糸とを備えていることを特徴とする請求項１乃至３のいずれか１項記載の簡易浄水用器具。
【請求項５】
さらに、容器取付部に取付けることができる折りたたみ式容器が備えられていることを特徴とする請求項１乃至４のいずれか１項記載の簡易浄水用器具。
【発明の詳細な説明】
【技術分野】
【０００１】
本発明は、地震等の災害非常時や野外キャンプ等において、風呂の残り水や川や池の水から飲料水を得るために用いることができる簡易浄水用器具に関する。
【背景技術】
【０００２】
近年、水道の蛇口や水道配管の途中に取付ける家庭用の浄水器が普及しており、その性能も格段の進歩を遂げている。こうした浄水器には、内部に多孔体中空糸や活性炭のろ過材を備え、風呂の残り水や川や池の水から飲料水を得ることが十分に可能なものがある。しかし、これらはいずれも水道の水圧を利用して原水をろ過するものであるため、地震等の災害非常時に水道が止まった場合や、野外キャンプ等の水道が無い場所では利用することはできない。
【０００３】
このため、手動式の空気入れによって原水を加圧し、多孔体中空糸等のろ過材や活性炭等吸着剤を通過させることによって、雑菌や濁り成分や有機物を吸着あるいはろ過し、飲料に適した水を得る簡易浄水器が提案されている。
【０００４】
例えば、特許文献１、２では、原水タンクに手動ポンプを取り付け、加圧された原水を配管を介して浄水器に導くという簡易浄水器が提案されている。
【０００５】
また、特許文献３では、自転車用空気入れによってタンク内に圧縮空気を貯留し、その圧縮空気を貯水タンクに導いて原水を加圧し、さらに、加圧された原水を浄水器に導くという簡易浄水器が提案されている。
【特許文献１】特開平１０−３１４７２６号公報  図１
【特許文献２】実用新案登録第３０４０２３１号
【特許文献３】特開２００３−２３６３１３号公報  図２
【発明の開示】
【発明が解決しようとする課題】
【０００６】
しかし、上記従来の簡易浄水器では、装置が大型で持ち運びに不便であり、常備用の緊急避難袋の中に入れて保管しておくことは困難であった。また、装置が複雑であり、製造コストも高いものであった。このため、災害非常時用として広く普及させるには適していなかった。
【０００７】
本発明は、上記従来の問題に鑑みなされたものであり、軽量小型で緊急避難袋の中に入れて保管しておくことができ、製造コストの低廉な簡易浄水用器具を提供することを目的とする。
【課題を解決するための手段】
【０００８】
発明者らは、地震等の災害非常時に水道が止まった場合において、身の回りにある自転車の空気入れや、家庭用の水栓金具に取付けるタイプの浄水器等を利用することにより、簡易浄水器を小型化し、製造コストを低廉化することを考えた。
【０００９】
すなわち、本発明の簡易浄水用器具は、水栓が設けられた管を備え、該水栓を挟んで該管の一端側には飲料水用容器を取付可能とする容器取付部と手動ポンプ用の空気弁とが設けられており、該水栓を挟んで該管の他端側には水道用の浄水器を取付可能とする浄水器取付部が設けられていることを特徴とする。
【００１０】
この簡易浄水用器具では、まず容器取付部に容器に風呂の残り湯等の原水が入った汎用性の容器（例えばペットボトル等）を取り付けるとともに、浄水器取付部に汎用性の浄水器（例えば水道の蛇口に取付けるタイプの市販の浄水器等）を取付ける。そして水栓を閉めた状態にしておき、自転車用の空気入れ等の手動ポンプによって空気弁から空気を入れて、容器内部を加圧する。次に、水栓を開いて加圧された原水を浄水器に通過させて浄化し飲料水を得る。
【００１１】
この簡易浄水用器具は、原水を貯留する容器や手動ポンプや浄水用のろ過材を備えておらず、必要に応じて現場でペットボトルや、自転車用空気入れや、水道用の浄水器等を調達し、これを本発明の簡易浄水用器具に取付けるだけで、簡単に原水を浄化することができる。このため、部品点数も少なく、極めて簡単な構造となり、製造コストが低廉となる。また、装置も手のひらに載せることができる程度まで小さくすることも可能であるため、軽量小型で持ち運びに便利であり、緊急避難袋の中に入れて保管しておくこともできる。
【００１２】
空気弁は自転車タイヤ用空気弁とすることができる。自転車用空気入れは、ほとんどの家庭に置いてあるため調達が容易であり、災害非常時においてどこでも使用できる簡易浄水用器具となる。
【００１３】
容器取付部は飲料容器の雄ネジに螺合する雌ネジが設けられているとすることができる。ペットボトル等の雄ネジ付きの飲料容器は災害非常時においても容易に手に入れることが
できるため、その空瓶を利用して、どこでも使用できる簡易浄水用器具となる。
【００１４】
水道用の浄水器は活性炭と多孔体中空糸によって原水をろ過するものであることが好ましい。活性炭は原水中のカビ臭物質等の有機物質を効果的に吸着することができ、多孔体中空糸は原水中の細菌や濁り成分をろ過することができる。このため、飲料用として特に適した水を得ることができる。なお、多孔体中空糸を用いない浄水器の場合には、原水の中に次亜塩素酸ナトリウム等の殺菌剤を適量混合しておくことが好ましい。これにより原水中の大腸菌等の殺菌を行うことができ、添加した殺菌剤や生成したトリハロメタンは活性炭で除去することもできるため、衛生的で安全な飲み水の確保が可能となる。
【００１５】
さらには、容器取付部に取付可能な折りたたみ式容器が備えられていることも好ましい。こうであれば、簡易浄水用器具を使用する場合に原水を入れる容器を現場で調達する必要がない。また、折りたたみ式容器とすれば、保管において場所をとらないため、常備用の緊急避難袋の中に入れて保管しておくこともできる。
【発明を実施するための最良の形態】
【００１６】
本発明の簡易浄水用器具は、ペットボトル等の空瓶や、自転車の空気入れを利用することができるため、極めてコンパクトとなる。このため、常備用の緊急避難袋の中に入れて保管しておき、緊急時に取り出して使用することができる。
また、本発明の簡易浄水用器具とともに、水道用の浄水器を常備用の緊急避難袋の中に一緒に入れておいてもよい。こうであれば、使用時において水道用の浄水器を探す必要もないため、便利である。さらには、本発明の簡易浄水用器具に水道用の浄水器をあらかじめ取付けておくこともできる。また、緊急避難用袋の中に、飲料水の入ったペットボトルを入れておけば、そのペットボトルの飲料水を飲み干した後の空瓶を本発明の簡易浄水用器具に利用することができる。さらには、容器取付部に取付可能な折りたたみ式容器(例えば蛇腹式の雄ネジ付き水筒)を一緒に入れておいてもよい。こうであれば、さらにコンパクトとなり、簡易浄水用器具を使用する場合に原水を入れる容器も探す必要がない。
【００１７】
本発明の簡易浄水用器具の水栓の種類については特に限定はないが、水道の蛇口に用いられているような普通の水栓を用いることができる。また、水栓が設けられた管や水栓をプラスチック製にすれば、軽量化を図ることもできる。
【００１８】
空気弁としては、自転車の空気入れに対応可能な空気弁とすれば、どこでも容易に調達できる自転車の空気入れを使って加圧が可能となるため便利である。また、浮き輪用に用いられるような蛇腹式のハンドポンプに適合する空気弁を用いてもよい。このようなハンドポンプは極めてコンパクトであり、軽量で場所もとらないため、緊急避難用袋の中に一緒に入れておくこともできる。
以下、本発明を適用した具体化した実施例を図面とともに説明する。
【００１９】
（実施例）
＜構成＞
実施例の簡易浄水用器具は、図１に示すように、水道管１に水道用の水栓２が設けられており、水道管１の一端側には雌ネジ３が形成されている。雌ネジ３の径及びピッチは、飲料水用のペットボトルの雄ネジと整合し、螺合可能とされている。また、雌ネジ３と水栓２との間には、自転車用の空気弁４が径外方向に突出して取付けられている。空気弁４には虫ゴム４ａが被せられた虫４ｂが取付金具４ｃの中に挿入されており、バルブ４ｄによってネジ止めされることにより、虫ゴム４ａと取付金具４ｃとが密着されて気密性が確保されている。虫４ａは管状とされており、虫ゴム４ａと取付金具４ｃとが密着している位置より水道管１側において、虫４ａの側壁には通気孔４ｅが設けられている。
また、水道管１の他端側には蛇口５が連結ナット６によって水栓２に接続されており、蛇口５の先端は径外方向に少し突出した凸部５ａが形成されている。
【００２０】
＜組立方法＞
以上のように構成された実施例の簡易浄水用器具を使用する場合には、まず、ペットボトル及び蛇口取付タイプの水道用浄水器を用意する。そして、連結ナット６を緩めて蛇口５を外し、図２に示すように、蛇口５に水道用浄水器７の取付用ナット７ａを嵌装した後、連結ナット６によって再び蛇口５を水栓２に連結させる。そして、水道用浄水器本体７ｂの雌ネジ７ｃに取付用ナット７ａを螺合し、図３に示すように、水道用浄水器７を蛇口５に取付ける。浄水器７は、蛇口５と連通する導水路７ｄが設けられており、導水路７ｄは活性炭層７ｅに接続され、さらに活性炭層７ｅは多孔体中空糸７ｆを介して出水口７ｇと繋がっている。
そして、水栓２を閉状態としておき、ペットボトル８に原水（風呂の残り湯や雨水をためた水等）を８割程度入れた状態で、水道管１の雌ネジ３にペットボトル８の雄ネジ８ａを螺合させる。さらに、自転車用空気入れのワニ口９ａを空気弁４のバルブ４ｄに取付けて、自転車用空気入れの注入口９ｂを虫４ｂの一端側にあてがい、組立が完了する。
【００２１】
＜使用方法＞
上記のようにして組み立てた簡易浄水器を使用する場合には、まず水栓２が閉状態になっているかどうか確認した後、自転車用空気入れで空気弁４から加圧空気を注入する。加圧空気は、図１に示す虫４ｂに設けられた通気孔４ｅから虫ゴム４ａと虫４ｂとの間を通って水道管１内に入りペットボトル８内部に圧縮空気が送り込まれる。なお、加圧されていない間は虫ゴム４ａと虫４ｂが密着状態となり、圧縮空気や原水の逆流が防止される。こうしてある程度の加圧が終了したら、水栓２を開状態とし、ペットボトル８内の原水を水道管１及び蛇口５を介して水道用浄水器７の導水路７ｄに流入させる。そして原水は活性炭層７ｅを通ることによって有機物質が吸着除去され、さらに多孔体中空糸７ｆを通過して細菌等がろ過され、浄化された水が出水口７ｇから放出される。こうして得られた浄化水は有機物や細菌等が除去されているため、飲料に適した状態となっている。
【００２２】
以上のように、実施例の簡易浄水用器具では、手近にあるペットボトルや自転車用空気入れを用いてきわめて簡単に飲料に適した水を調達することができる。また、この簡易浄水用器具は極めてコンパクトで、軽量であるため、備用の緊急避難袋の中に入れて保管しておくのに好適である。さらには、部品点数も少なく、製造コストも極めて低廉である。
【００２３】
この発明は、上記発明の実施例の説明に何ら限定されるものではない。特許請求の範囲の記載を逸脱せず、当業者が容易に想到できる範囲で種々の変形態様もこの発明に含まれる。
【図面の簡単な説明】
【００２４】
【図１】実施例の簡易浄水用器具の一部断面図である。
【図２】実施例の簡易浄水用器具にペットボトル及び水道用浄水器を取付けた状態での一部断面図である。
【図３】実施例の簡易浄水用器具を使用しているときの模式図である。
【符号の説明】
【００２５】
２…水栓
１…水道管（管）
８…ペットボトル（飲料水用容器）
３…雌ネジ（容器取付部）
４…空気弁（４ａ…虫ゴム、４ｂ…虫、４ｃ…取付金具、４ｄ…バルブ）
５…蛇口（浄水器取付部）
７…浄水器
７ｅ…活性炭層（活性炭）
７ｆ…多孔体中空糸
【図１】
2008012457.tif 000003
【図２】
2008012457.tif 000004
【図３】
2008012457.tif 000005